(57)【要約】【課題】本発明は、吸収性物品の人体着用状態を再現し、かつ、比較的簡便な構造で安価な、吸収性物品の漏れを測定する試験器具及びその測定方法を提供することを目的とする。【解決手段】吸収性物品２の漏れを測定する試験器具１であって、略半球型形状の容器の底部中央付近に注水管１３を貫通して固定した、略半球型形状の第１の容器１１と、第１の容器１１と略同寸法又はそれよりも寸法が大きく、注水管１３を設けていない略半球型形状の第２の容器１２とを、第２の容器１２を外側にして重ねて、第１の容器１１と第２の容器１２の間に挟むように吸収性物品２を固定し、吸収性物品２の人体着用状態と同等の方向及び角度で注水管１３から所定量の液体を注水し、吸収性物品２に液体を吸収させて吸収性物品２の漏れを測定することを特徴とする試験器具１を提供する。【選択図】図２
2018183491.tif 000002
【特許請求の範囲】
【請求項１】
吸収性物品の漏れを測定する試験器具であって、
略半球型形状の容器の底部中央付近に注水管を貫通して固定した、略半球型形状の第１の容器と、前記第１の容器と略同寸法又はそれよりも寸法が大きく、注水管を設けていない略半球型形状の第２の容器とを、前記第２の容器を外側にして重ねて、
前記第１の容器と前記第２の容器の間に挟むように吸収性物品を固定し、
前記吸収性物品の人体着用状態と同等の方向及び角度で注水管から所定量の液体を注水し、前記吸収性物品に液体を吸収させて前記吸収性物品の漏れを測定することを特徴とする試験器具。
【請求項２】
前記第１の容器は、内径が１００ｍｍ以上４００ｍｍ以下であり、高さが３０ｍｍ以上２５０ｍｍ以下であることを特徴とする、請求項１に記載の試験器具。
【請求項３】
前記第２の容器は、内径が１００ｍｍ以上４００ｍｍ以下であり、高さが３０ｍｍ以上２５０ｍｍ以下であることを特徴とする、請求項１又は請求項２に記載の試験器具。
【請求項４】
前記第１の容器は、透明であることを特徴とする、請求項１から３のいずれか一項に記載の試験器具。
【請求項５】
前記第１の容器は、網状又はメッシュ状であることを特徴とする、請求項１から４のいずれか一項に記載の試験器具。
【請求項６】
吸収性物品の漏れを測定する試験方法であって、
略半球型形状の容器の底部中央付近に注水管を貫通して固定した、略半球型形状の第１の容器と、前記第１の容器と略同寸法又はそれよりも寸法が大きく、注水管を設けていない略半球型形状の第２の容器とを、前記第２の容器を外側にして重ねて、
前記第１の容器と前記第２の容器の間に挟むように吸収性物品を固定し、
前記吸収性物品の人体着用状態と同等の方向及び角度で注水管から所定量の液体を注水し、前記吸収性物品に液体を吸収させて前記吸収性物品の漏れを測定することを特徴とする試験方法。
【請求項７】
前記第１の容器は、内径が１００ｍｍ以上４００ｍｍ以下であり、高さが３０ｍｍ以上２５０ｍｍ以下であることを特徴とする、請求項６に記載の試験方法。
【請求項８】
前記第２の容器は、内径が１００ｍｍ以上４００ｍｍ以下であり、高さが３０ｍｍ以上２５０ｍｍ以下であることを特徴とする、請求項６又は請求項７に記載の試験方法。
【請求項９】
前記第１の容器は、透明であることを特徴とする、請求項６から８のいずれか一項に記載の試験方法。
【請求項１０】
前記第１の容器は、網状又はメッシュ状であることを特徴とする、請求項６から９のいずれか一項に記載の試験方法。
【発明の詳細な説明】
【技術分野】
【０００１】
本発明は、吸収性物品の人体着用状態を再現して吸収性物品の漏れを測定する試験器具及び試験方法に関する。
【背景技術】
【０００２】
吸収性物品は、吸収性物品が備える吸収量、吸収速度等の吸収性能を測定し、試験することによって、想定される吸収性能を吸収性物品が実際に発揮し、漏れなく体液を吸収することができるかを測定することができる。
【０００３】
吸収性物品の吸収性能の試験は、例えば、人体に吸収性物品を装着せずに、吸収性物品のトップシートが上側になるように、吸収性物品を平面上に展開して、生理食塩水等の液体を吸収性物品に吸収させることで、吸収性物品の漏れを測定する方法が想定できる。一方で、吸収性物品は使用時において人体に着用されるものであることから、人体に直接装着しないまでも、ダミー人形に吸収性物品を装着して、吸収性物品に液体を注入し、吸収性物品に液体を吸収させることで、吸収性物品の漏れを測定する方法も想定できる。
【０００４】
特許文献１は、実際の人体着用状態を再現し、吸収性物品の漏れを適正に測定することを目的に、評価対象の吸水性能評価用のトルソーであって、胴部と、胴部に連なる一対の大腿部とを備え、模擬体液漏出用の単一又は複数の開口部と、開口部に模擬体液を供給する送液チューブを取り付ける取付け部と、が設けられているトルソーを、開示している。また、特許文献２は、人の動作や体温に伴う吸収性物品への影響を再現し、吸収性物品の吸収性能を適正に測定することを目的に、２本の脚部ボディーに設けられた各足部骨格を胴部ボディーに対して前後左右に動かせるようにした、紙おむつの性能検査用ダミー人形を、開示している。
【先行技術文献】
【特許文献】
【０００５】
【特許文献１】特開２０１３−１６４２７７号公報
【特許文献２】特許第３９５０７８４号公報
【発明の概要】
【発明が解決しようとする課題】
【０００６】
ところが、特許文献１や特許文献２に開示されるトルソーや人体ダミー人形等は、トルソーや人体ダミー人形等の運搬に多大な労力を必要とし、特に、特許文献２に開示される人体ダミー人形等では、運搬が困難となる場合も想定される。ここで、例えば、大人用紙おむつの使用現場である病院等で、大人用紙おむつの漏れを測定する場合等においては、人体への着用状態を再現し、かつ、運搬も容易な試験器具、試験装置が必要となる。
【０００７】
また、特許文献２に開示される人体ダミー人形等は、人体ダミー人形等によって人の動作等を再現するために、複雑な操作を必要とする場合があり、操作に熟練性が必要となるだけでなく、装置が複雑化し装置の費用が高価になる場合もある。
【０００８】
したがって、本発明は、吸収性物品の人体着用状態を再現し、かつ、比較的簡便な構造で安価な、吸収性物品の漏れを測定する試験器具及び試験方法を提供することを目的とする。
【課題を解決するための手段】
【０００９】
本発明の発明者は、上記課題に鑑み、鋭意研究を行った。その結果、吸収性物品の漏れを測定する試験器具であって、略半球型形状の容器の底部中央付近に注水管を貫通して固定した、略半球型形状の第１の容器と、第１の容器と略同寸法又はそれよりも寸法が大きく、注水管を設けていない略半球型形状の第２の容器とを、第２の容器を外側にして重ねて、第１の容器と第２の容器の間に挟むように吸収性物品を固定する試験器具により、上記課題を解決できることを見出し、本発明を完成するに至った。
【００１０】
（１）  本発明の第１の態様は、吸収性物品の漏れを測定する試験器具であって、略半球型形状の容器の底部中央付近に注水管を貫通して固定した、略半球型形状の第１の容器と、前記第１の容器と略同寸法又はそれよりも寸法が大きく、注水管を設けていない略半球型形状の第２の容器とを、前記第２の容器を外側にして重ねて、前記第１の容器と前記第２の容器の間に挟むように吸収性物品を固定し、前記吸収性物品の人体着用状態と同等の方向及び角度で注水管から所定量の液体を注水し、前記吸収性物品に液体を吸収させて前記吸収性物品の漏れを測定することを特徴とする試験器具である。
（２）  （１）の試験器具において、前記第１の容器は、内径が１００ｍｍ以上４００ｍｍ以下であり、高さが３０ｍｍ以上２５０ｍｍ以下であってもよい。
（３）  （１）又は（２）の試験器具において、前記第２の容器は、内径が１００ｍｍ以上４００ｍｍ以下であり、高さが３０ｍｍ以上２５０ｍｍ以下であってもよい。
（４）  （１）から（３）のいずれかの試験器具において、前記第１の容器は、透明であってもよい。
（５）  （１）から（４）のいずれかの試験器具において、前記第１の容器は、網状又はメッシュ状であってもよい。
（６）  本発明の第２の態様は、吸収性物品の漏れを測定する試験方法であって、略半球型形状の容器の底部中央付近に注水管を貫通して固定した、略半球型形状の第１の容器と、前記第１の容器と略同寸法又はそれよりも寸法が大きく、注水管を設けていない略半球型形状の第２の容器とを、前記第２の容器を外側にして重ねて、前記第１の容器と前記第２の容器の間に挟むように吸収性物品を固定し、前記吸収性物品の人体着用状態と同等の方向及び角度で注水管から所定量の液体を注水し、前記吸収性物品に液体を吸収させて前記吸収性物品の漏れを測定することを特徴とする試験方法である。
（７）  （６）の試験方法において、前記第１の容器は、内径が１００ｍｍ以上４００ｍｍ以下であり、高さが３０ｍｍ以上２５０ｍｍ以下であってもよい。
（８）  （６）又は（７）の試験方法において、前記第２の容器は、内径が１００ｍｍ以上４００ｍｍ以下であり、高さが３０ｍｍ以上２５０ｍｍ以下であってもよい。
（９）  （６）から（８）のいずれかの試験方法において、前記第１の容器は、透明であってもよい。
（１０）  （６）から（９）のいずれかの試験方法において、前記第１の容器は、網状又はメッシュ状であってもよい。
【発明の効果】
【００１１】
本発明の第一の態様に係る、吸収性物品の漏れを測定する試験器具は、略半球型形状の容器の底部中央付近に注水管を貫通して固定した、略半球型形状の第１の容器と、第１の容器と略同寸法又はそれよりも寸法が大きく、注水管を設けていない略半球型形状の第２の容器とを、第２の容器を外側にして重ねて、第１の容器と第２の容器の間に挟むように吸収性物品を固定し、吸収性物品の人体着用状態と同等の方向及び角度で注水管から液体を注水し、吸収性物品に液体を吸収させ、吸収性物品の漏れを測定する。これにより、吸収性物品の人体着用状態を再現し、かつ、比較的簡便な構造で安価な、吸収性物品の漏れを測定する試験器具とすることができる。
【００１２】
また、本発明の第二の態様に係る、吸収性物品の漏れを測定する試験方法は、略半球型形状の容器の底部中央付近に注水管を貫通して固定した、略半球型形状の第１の容器と、第１の容器と略同寸法又はそれよりも寸法が大きく、注水管を設けていない略半球型形状の第２の容器とを、第２の容器を外側にして重ねて、第１の容器と第２の容器の間に挟むように吸収性物品を固定し、吸収性物品の人体着用状態と同等の方向及び角度で注水管から液体を注水し、吸収性物品に液体を吸収させ、吸収性物品の漏れを測定する。これにより、吸収性物品の人体着用状態を再現し、かつ、比較的簡便な構造で安価な、吸収性物品の漏れを測定する試験方法とすることができ、測定における複雑な操作を要求せず、操作の熟練性が不要な試験方法とすることができる。
【図面の簡単な説明】
【００１３】
【図１】本発明の、吸収性物品の漏れを測定する試験器具について、（ａ）は、試験器具における第１の容器を模式的に図示する斜視図であり、（ｂ）は、試験器具における第１の容器の裏面を模式的に図示する斜視図であり、（ｃ）は、（ｂ）における第１の容器の裏面の拡大図であり、（ｄ）は、試験器具における第２の容器を模式的に図示する斜視図である。
【図２】本発明の、吸収性物品の漏れを測定する試験器具について、（ａ）は、第１の容器と第２の容器とを、第２の容器を外側にして重ねて、第１の容器と第２の容器の間に挟むように吸収性物品を固定した試験器具を模式的に図示する斜視図であり、（ｂ）は、（ａ）におけるＡ−Ａ断面を模式的に図示する断面図であって、着用者の立位の姿勢の状態を再現した状態における試験器具の断面図であり、（ｃ）は、（ａ）におけるＡ−Ａ断面を模式的に図示する断面図であって、着用者の仰臥位の姿勢の状態を再現した状態における試験器具の断面図である。
【図３】比較例に係る、吸収性物品の漏れを測定する、人体ダミー人形である。
【発明を実施するための形態】
【００１４】
以下、本発明の実施形態に係る、吸収性物品２の漏れを測定する試験器具１及び試験方法について詳細に説明するが、これらは例示の目的で掲げたものでこれらにより本発明を限定するものではない。なお、実施形態の説明の全体を通して同じ要素には同じ番号を付している。
【００１５】
＜試験器具＞
図１に示すように、本発明の第一の態様は、吸収性物品２の漏れを測定する試験器具１であって、略半球型形状の容器の底部中央付近に注水管１３を貫通して固定した、略半球型形状の第１の容器１１と、第１の容器１１と略同寸法又はそれよりも寸法が大きく、注水管１３を設けていない略半球型形状の第２の容器１２とを、第２の容器１２を外側にして重ねて、第１の容器１１と第２の容器１２の間に挟むように吸収性物品２を固定し、吸収性物品２の人体着用状態と同等の方向及び角度で注水管１３から所定量の液体を注水し、吸収性物品２に液体を吸収させて吸収性物品２の漏れを測定することを特徴とする試験器具１である。これにより、吸収性物品２の人体着用状態を再現し、かつ、比較的簡便な構造で安価な、吸収性物品２の漏れを測定する試験器具１とすることができる。
【００１６】
［第１の容器］
図１（ａ）に示すように、第１の容器１１は、略半球型形状の容器の底部中央付近に注水管１３を貫通して固定している。略半球型形状であることによって、吸収性物品２の人体着用状態を再現することができる。第１の容器１１は、略半球形型形状であればよく、例えば、球帯形状であってもよい。また、第１の容器１１は可撓性を有していてもよい。
【００１７】
第１の容器１１の内径は、１００ｍｍ以上４００ｍｍ以下であることが好ましく、１５０ｍｍ以上３００ｍｍ以下であることがより好ましい。また、第１の容器１１の高さは、３０ｍｍ以上２５０ｍｍ以下であることが好ましく、５０ｍｍ以上２００ｍｍ以下であることがより好ましい。
【００１８】
第１の容器１１は、略半球型形状であることで、吸収性物品２の人体着用状態を再現することができるが、透明であることが好ましい。これにより、第１の容器１１と第２の容器１２を脱着せずに、第１の容器１１と第２の容器１２の間に挟まれている吸収性物品２を目視することができる。
【００１９】
第１の容器１１は、略半球型形状であることで、吸収性物品２の人体着用状態を再現することができるが、網状又はメッシュ状であることが好ましい。これにより、第１の容器１１と第２の容器１２を脱着せずに、第１の容器１１と第２の容器１２の間に挟まれている吸収性物品２を目視することができる。
【００２０】
図１（ａ）から（ｃ）に示すように、第１の容器１１は、底部中央付近に注水管１３を貫通して固定しているが、注水管１３を設ける位置は適宜変更することができる。
【００２１】
［第２の容器］
図１（ｄ）に示すように、第２の容器１２は、第１の容器１１と略同寸法又はそれよりも寸法が大きく、注水管１３を設けていない略半球型形状の容器である。略半球型形状であることによって、吸収性物品２の人体着用状態の再現することができ、第１の容器１１と略同寸法又はそれよりも寸法が大きいことによって、第２の容器１２を外側にして重ねて、第１の容器１１と第２の容器１２の間に挟むように吸収性物品２を固定することができる。また、第２の容器１２は、略半球形型形状であればよく、例えば、球帯形状であってもよい。また、第２の容器１２は可撓性を有していてもよい。
【００２２】
第２の容器１２の内径は、１００ｍｍ以上４００ｍｍ以下であることが好ましく、１５０ｍｍ以上３００ｍｍ以下であることがより好ましい。また、第２の容器１２の高さは、３０ｍｍ以上２５０ｍｍ以下であることが好ましく、５０ｍｍ以上２００ｍｍ以下であることがより好ましい。
【００２３】
［吸収性物品］
吸収性物品２は、液体を吸収する物品であれば特に制限はないが、身体側表面に配置される液透過性のトップシートと、衣類側表面に配置される液不透過性のバックシートと、トップシート及びバックシートの間に配置された吸収体と、を備える吸収性物品２であることが好ましく、例えば、テープ止めタイプやパンツタイプの紙おむつ、生理用ナプキン、軽失禁パッド、軽失禁ライナー等であることが好ましい。
【００２４】
試験器具１は、図２（ａ）に示すように、第１の容器１１と第２の容器１２とを、第２の容器１２を外側にして重ねて、第１の容器１１と第２の容器１２の間に挟むように吸収性物品２を固定する。第２の容器１２は、第１の容器１１と略同寸法又はそれよりも寸法が大きいため、吸収性物品２を固定することができる。
【００２５】
試験器具１は、図２（ａ）から（ｃ）に示すように、吸収性物品２の人体着用状態と同等の方向及び角度で注水管１３から所定量の液体を注水し、吸収性物品２に液体を吸収させて吸収性物品２の漏れを測定する。ここで、試験器具１は、第１の容器１１の開口部から底部に向かう方向又は第２の容器１２の開口部から底部に向かう方向が高さ方向であり、吸収性物品２の人体着用状態において胴体から脚に向かう方向である。
【００２６】
図２（ｂ）に示すように、試験器具１の高さ方向と鉛直方向とが略同一方向である場合、着用者の立位の姿勢を再現することができる。これにより、吸収性物品２の人体着用状態において略鉛直方向に排出され略水平方向に拡散する体液と同等の方向及び角度に、注水管１３から注水するときの方向及び角度を合わせ、吸収性物品２に液体を吸収させることができ、吸収性物品２の漏れを測定することができる。
【００２７】
また、図２（ｃ）に示すように、試験器具１の高さ方向と水平方向とが略同一方向である場合、着用者の仰臥位、伏臥位、側臥位等の臥位の姿勢を再現することができる。これにより、吸収性物品２の人体着用状態において略鉛直方向に排出され略鉛直方向に拡散する体液と同等の方向及び角度に、注水管１３から注水するときの方向及び角度を合わせ、吸収性物品２に液体を吸収させることができ、吸収性物品２の漏れを測定することができる。
【００２８】
＜試験方法＞
本発明の第二の態様は、吸収性物品２の漏れを測定する試験方法であって、略半球型形状の容器の底部中央付近に注水管１３を貫通して固定した、略半球型形状の第１の容器１１と、第１の容器１１と略同寸法又はそれよりも寸法が大きく、注水管１３を設けていない略半球型形状の第２の容器１２とを、第２の容器１２を外側にして重ねて、第１の容器１１と第２の容器１２の間に挟むように吸収性物品２を固定し、吸収性物品２の人体着用状態と同等の方向及び角度で注水管１３から所定量の液体を注水し、吸収性物品２に液体を吸収させて吸収性物品２の漏れを測定することを特徴とする試験方法である。これにより、吸収性物品２の人体着用状態を再現し、かつ、比較的簡便な構造で安価な、吸収性物品２の漏れを測定する試験方法とすることができ、測定における複雑な操作を要求せず、操作の熟練性が不要な試験方法とすることができる。
【００２９】
本発明の、吸収性物品２の漏れを測定する試験方法は、略半球型形状の容器の底部中央付近に注水管１３を貫通して固定した、略半球型形状の第１の容器１１と、第１の容器１１と略同寸法又はそれよりも寸法が大きく、注水管１３を設けていない略半球型形状の第２の容器１２とを、第２の容器１２を外側にして重ねて、第１の容器１１と第２の容器１２の間に挟むように吸収性物品２を固定する。これにより、吸収性物品２の人体着用状態を再現することができ、かつ、比較的簡便な構造で安価な、吸収性物品２の漏れを測定する試験方法とすることができる。
【００３０】
また、本発明の、吸収性物品２の漏れを測定する試験方法は、吸収性物品２の人体着用状態と同等の方向及び角度で注水管１３から所定量の液体を注水し、吸収性物品２に液体を吸収させて吸収性物品２の漏れを測定する。これにより、測定における複雑な操作を要求せず、操作の熟練性が不要な試験方法とすることができる。なお、第１の容器１１と第２の容器１２とを、第２の容器１２を外側にして重ねればよく、第１の容器１１の底部を第２の容器１２の底部に対してずらして重ねることによって、吸収性物品２の人体着用状態と同等の方向及び角度に、注水管１３から注水するときの方向及び角度を合わせ、注水管１３から所定量の液体を注水し、吸収性物品２に液体を吸収させて吸収性物品２の漏れを測定してもよい。
【００３１】
本発明の、吸収性物品２の漏れを測定する試験方法においては、本発明の試験器具１を用いて吸収性物品２の漏れを測定することができ、上述の本発明の試験器具１の構成とすることができる。
【実施例】
【００３２】
以下の実施例により本発明を更に具体的に説明する。なお、本発明はその要旨を超えない限り、以下の実施例の記載に限定されるものではない。
【００３３】
＜実施例１＞
実施例１に係る、吸収性物品の漏れを測定する試験器具においては、略半球型形状の容器の底部中央付近に注水管を貫通して固定した第１の容器と、第１の容器と同寸法で注水管を設けていない略半球型形状の第２の容器と、を備える試験器具とした。表１に、実施例１に係る試験器具の寸法と、費用を記載した。
【００３４】
【表１】
2018183491.tif 000003
【００３５】
実施例１に係る、吸収性物品の漏れを測定する試験器具を用いて、吸収性物品の漏れを測定する試験を、小型パッドと、大型パッドについて、行った。小型パッドは、長さを４８０ｍｍ、幅を２００ｍｍとし、大型パッドは、長さを６３０ｍｍ、幅を３２０ｍｍとした。試験方法は、以下のとおりである。まず、第１の容器と、第２の容器とを、第２の容器を外側にして重ねて、第１の容器と第２の容器の間に挟むように吸収性物品を固定した。そして、注水管から生理食塩水１５０ｍＬ／回を注水して、吸収性物品への吸収、漏れの発生を観察した。漏れがない場合には、注水してから１０分後に生理食塩水１５０ｍＬ／回を再度注水し、吸収性物品への吸収、漏れの発生を同様に確認した。漏れが発生するまで上記の注水を繰り返し、漏れが発生した時点で試験を終了した。小型パッドの漏れを測定した試験の結果を表２に、大型パッドの漏れを測定した試験の結果を表３に記載した。漏れが発生しなかった場合を「〇」、漏れが発生した場合を「×」とした。
【００３６】
【表２】
2018183491.tif 000004
【００３７】
【表３】
2018183491.tif 000005
【００３８】
＜比較例１＞
比較例１においては、図３に示すような人体ダミー人形を用いて、吸収性物品の漏れを測定する試験を、小型パッドと、大型パッドについて行った。表１に、比較例１に係る人体ダミー人形の寸法と、費用を記載した。また、小型パッドと大型パッドは、実施例１と同様のものを使用し、人体ダミー人形に吸収性物品を装着して吸収性物品を固定した後は、実施例１と同様の注水操作による試験方法を行った。表２及び表３に、比較例１に係る人体ダミー人形による試験の結果を記載した。
【００３９】
表１から３に示すように、実施例１に係る、吸収性物品の漏れを測定する試験器具によれば、吸収性物品の人体着用状態を再現し、かつ、比較的簡便な構造で安価な、吸収性物品の漏れを測定する試験器具とすることができ、また、測定における複雑な操作を要求せず、操作の熟練性が不要な試験方法とすることができた。
【符号の説明】
【００４０】
１    試験器具
２    吸収性物品
１１  第１の容器
１２  第２の容器
１３  注水管
【図１】
2018183491.tif 000006
【図２】
2018183491.tif 000007
【図３】
2018183491.tif 000008